【手続補正書】
【提出日】平成24年7月27日(2012.7.27)
【手続補正１】
【補正対象書類名】明細書
【補正対象項目名】発明の名称
【補正方法】変更
【補正の内容】
【発明の名称】コネクタ
【手続補正２】
【補正対象書類名】明細書
【補正対象項目名】００１３
【補正方法】変更
【補正の内容】
【００１３】
本発明の一態様によれば、複数のコンタクトペアと、複数のグランド用コンタクトと、前記コンタクトペア及び前記グランド用コンタクトを保持した絶縁性のハウジングとを備えるコネクタであって、接続相手に接続するための第１の接続側と、基板に接続するための第２の接続側とを有しており、前記第１の接続側では、前記コンタクトペアを構成するコンタクト及び前記グランド用コンタクトが一列に配列されてコンタクト列を形成すると共に、前記コンタクト列における前記コンタクトペア同士の間に前記グランド用コンタクトが配置されており、前記第２の接続側では、前記複数のグランド用コンタクトを第１の方向において互いに離間するように第１の列に配置すると共に、前記第１の接続側で前記コンタクト列における前記グランド用コンタクトの両側に配置された２つの前記コンタクトペアを、前記第１の方向と直交する第２の方向において前記第１の列の両側に位置する第２の列及び第３の列に振り分けて配置したことを特徴とするコネクタが得られる。
本発明の他の態様によれば、複数のコンタクトと前記コンタクトを保持した絶縁性のハウジングとを含むコネクタであって、接続相手に接続するための第１の接続側と、基板に接続するための第２の接続側とを有し、前記コンタクトを、前記第２の接続側における中央の第１の列に複数の間隔をおいて配置された複数の第１のコンタクトと、前記第１の列の両側に位置する第２の列及び第３の列に振り分けて複数ペアとして配置された複数の第２のコンタクトとに分け、前記第２の接続側では、前記第２のコンタクトの複数ペアを、前記第２の列に配置されたものと前記第３の列に配置されたものとが前記第１のコンタクトの複数の間隔に交互に対応するように配置し、前記第１の接続側では、前記第１のコンタクトを複数の間隔をおいて一列に配置すると共に、前記第２のコンタクトの複数ペアを前記第１のコンタクトの複数の間隔内にそれぞれ配置し、これにより前記第１の接続側では前記第１のコンタクト及び前記第２のコンタクトが一列のコンタクト列を形成したことを特徴とするコネクタが得られる。
本発明のさらに他の態様によれば、複数のコンタクトと前記コンタクトを保持した絶縁性のハウジングとを備えるコネクタであって、接続相手に接続するための第１の接続側と、基板に接続するための第２の接続側とを有しており、前記コンタクトのそれぞれは、前記接続相手に接触するコネクタ接触部を前記第１の接続側に有すると共に前記基板に接続する基板接続部を前記第２の接続側に有しており、前記複数のコンタクトは、２つのグランド用コンタクトと、第１ペア乃至第３ペアのコンタクトとを少なくとも含んでおり、前記第１の接続側において、前記２つのグランド用コンタクトのコネクタ接触部と、前記第１ペア乃至第３ペアのコンタクトのコネクタ接触部とは、第１の方向において、前記第１ペアのコンタクトのコネクタ接触部、１つの前記グランド用コンタクトのコネクタ接触部、前記第２ペアのコンタクトのコネクタ接触部、他の１つの前記グランド用コンタクトのコネクタ接触部及び前記第３ペアのコンタクトのコネクタ接触部の順に一列に配置されており、前記第２の接続側において、前記グランド用コンタクトの基板接続部は第１の列に配置されており、前記第１ペアのコンタクトの基板接続部及び前記第３ペアのコンタクトの基板接続部は前記第１の方向と直交する第２の方向において前記第１の列とは異なる第２の列に配置されており、前記第２ペアのコンタクトの基板接続部は、前記第２の方向において前記第１の列よりも前記第２の列から遠い第３の列に配置されているコネクタが得られる。
【手続補正３】
【補正対象書類名】特許請求の範囲
【補正対象項目名】全文
【補正方法】変更
【補正の内容】
【特許請求の範囲】
【請求項１】
複数のコンタクトペアと、複数のグランド用コンタクトと、前記コンタクトペア及び前記グランド用コンタクトを保持した絶縁性のハウジングとを備えるコネクタであって、
接続相手に接続するための第１の接続側と、基板に接続するための第２の接続側とを有しており、
前記第１の接続側では、前記コンタクトペアを構成するコンタクト及び前記グランド用コンタクトが一列に配列されてコンタクト列を形成すると共に、前記コンタクト列における前記コンタクトペア同士の間に前記グランド用コンタクトが配置されており、
前記第２の接続側では、前記複数のグランド用コンタクトを第１の方向において互いに離間するように第１の列に配置すると共に、前記第１の接続側で前記コンタクト列における前記グランド用コンタクトの両側に配置された２つの前記コンタクトペアを、前記第１の方向と直交する第２の方向において前記第１の列の両側に位置する第２の列及び第３の列に振り分けて配置した
ことを特徴とするコネクタ。
【請求項２】
前記複数のコンタクトペアのうち、前記第２の列に配置されたものを実質的に同じ長さに設計し、かつ、前記第３の列に配置されたものを実質的に同じ長さに設計した、請求項１に記載のコネクタ。
【請求項３】
前記複数のコンタクトペアを前記第１の接続部側と前記第２の接続部側との間で前記コンタクト列と交差する方向に折り曲げ、その折り曲げの違いにより、前記複数のコンタクトペアを前記第２の列及び前記第３の列に振り分けた、請求項１又は２に記載のコネクタ。
【請求項４】
前記グランド用コンタクトを前記第１の接続部側と前記第２の接続部側との間で前記コンタクト列と交差する方向に折り曲げ、前記グランド用コンタクトを第１の列に配置した、請求項３に記載のコネクタ。
【請求項５】
前記第２の接続側では、前記複数のコンタクトペアの各々を前記グランド用コンタクトの隣接したものの間に対応させて配置した、請求項１−４のいずれか一項に記載のコネクタ。
【請求項６】
前記第２の接続側では、前記コンタクトペアのコンタクトのピッチを前記コンタクト列における前記複数のグランド用コンタクトのピッチよりも大きく設計した、請求項１−５のいずれか一項に記載のコネクタ。
【請求項７】
前記第２の接続側では、前記グランド用コンタクトを前記複数のコンタクトペアの間に対応させて配置した、請求項１−６のいずれか一項に記載のコネクタ。
【請求項８】
前記第２の接続側では、前記第１の接続側においては前記グランド用コンタクトとこれの両側に隣接配置されている前記コンタクトペアのコンタクトとを、前記第１の列に対し斜めに交差する方向に配列させた、請求項１−７のいずれか一項に記載のコネクタ。
【請求項９】
前記第１の列、前記第２の列、及び前記第３の列が互いに平行である、請求項１−８のいずれか一項に記載のコネクタ。
【請求項１０】
さらに、複数の付加コンタクトを含み、前記第１の接続側では、前記付加コンタクトを前記コンタクト列に間隔をおいて対向するように配列させた、請求項１−９のいずれか一項に記載のコネクタ。
【請求項１１】
複数のコンタクトと前記コンタクトを保持した絶縁性のハウジングとを含むコネクタであって、
接続相手に接続するための第１の接続側と、基板に接続するための第２の接続側とを有し、
前記コンタクトを、前記第２の接続側における中央の第１の列に複数の間隔をおいて配置された複数の第１のコンタクトと、前記第１の列の両側に位置する第２の列及び第３の列に振り分けて複数ペアとして配置された複数の第２のコンタクトとに分け、
前記第２の接続側では、前記第２のコンタクトの複数ペアを、前記第２の列に配置されたものと前記第３の列に配置されたものとが前記第１のコンタクトの複数の間隔に交互に対応するように配置し、
前記第１の接続側では、前記第１のコンタクトを複数の間隔をおいて一列に配置すると共に、前記第２のコンタクトの複数ペアを前記第１のコンタクトの複数の間隔内にそれぞれ配置し、これにより前記第１の接続側では前記第１のコンタクト及び前記第２のコンタクトが一列のコンタクト列を形成した
ことを特徴とするコネクタ。
【請求項１２】
前記複数の第２のコンタクトのうち、前記第２の列に配置されたものを実質的に同じ長さに設計し、かつ、前記第３の列に配置されたものを実質的に同じ長さに設計した、請求項１１に記載のコネクタ。
【請求項１３】
前記第２のコンタクトを前記第１の接続部側と前記第２の接続部側との間で前記コンタクト列と交差する方向に折り曲げ、その折り曲げの違いにより、前記第２のコンタクトの複数ペアを前記第２の列及び前記第３の列に振り分けた、請求項１１又は１２に記載のコネクタ。
【請求項１４】
前記第１のコンタクトを前記第１の接続部側と前記第２の接続部側との間で前記コンタクト列と交差する方向に折り曲げ、前記第１のコンタクトを第１の列に配置した、請求項１３に記載のコネクタ。
【請求項１５】
前記第２の接続側では、前記第２のコンタクトの各々を前記第１のコンタクトに対し位置ずれさせて配置した、請求項１１−１４のいずれか一項に記載のコネクタ。
【請求項１６】
前記第２の接続側では、前記第２のコンタクトの各ペア内のピッチを前記コンタクト列における前記複数の第１のコンタクトのピッチよりも大きく設計した、請求項１１−１５のいずれか一項に記載のコネクタ。
【請求項１７】
前記第２の接続側では、前記第１のコンタクトを前記第２のコンタクトのペアとペアとの間に対応させて配置した、請求項１１−１６のいずれか一項に記載のコネクタ。
【請求項１８】
前記第２の接続側では、前記第１の接続側においては前記第１のコンタクトとこれの両側に隣接配置されている二つの第２のコンタクトとを、前記第１の列に対し斜めに交差する方向に配列させた、請求項１１−１７のいずれか一項に記載のコネクタ。
【請求項１９】
前記第１の列、前記第２の列、及び前記第３の列が互いに平行である、請求項１１−１８のいずれか一項に記載のコネクタ。
【請求項２０】
さらに、複数の付加コンタクトを含み、前記第１の接続側では、前記付加コンタクトを前記コンタクト列に間隔をおいて対向するように配列させた、請求項１１−１９のいずれか一項に記載のコネクタ。
【請求項２１】
前記第２のコンタクトの各ペアに差動信号対を割り当て、前記第１のコンタクトの各々にグランドを割り当てた、請求項１１−２０のいずれか一項に記載のコネクタ。
【請求項２２】
複数のコンタクトと前記コンタクトを保持した絶縁性のハウジングとを備えるコネクタであって、
接続相手に接続するための第１の接続側と、基板に接続するための第２の接続側とを有しており、
前記コンタクトのそれぞれは、前記接続相手に接触するコネクタ接触部を前記第１の接続側に有すると共に前記基板に接続する基板接続部を前記第２の接続側に有しており、
前記複数のコンタクトは、２つのグランド用コンタクトと、第１ペア乃至第３ペアのコンタクトとを少なくとも含んでおり、
前記第１の接続側において、前記２つのグランド用コンタクトのコネクタ接触部と、前記第１ペア乃至第３ペアのコンタクトのコネクタ接触部とは、第１の方向において、前記第１ペアのコンタクトのコネクタ接触部、１つの前記グランド用コンタクトのコネクタ接触部、前記第２ペアのコンタクトのコネクタ接触部、他の１つの前記グランド用コンタクトのコネクタ接触部及び前記第３ペアのコンタクトのコネクタ接触部の順に一列に配置されており、
前記第２の接続側において、前記グランド用コンタクトの基板接続部は第１の列に配置されており、前記第１ペアのコンタクトの基板接続部及び前記第３ペアのコンタクトの基板接続部は前記第１の方向と直交する第２の方向において前記第１の列とは異なる第２の列に配置されており、前記第２ペアのコンタクトの基板接続部は、前記第２の方向において前記第１の列よりも前記第２の列から遠い第３の列に配置されているコネクタ。
【請求項２３】
前記第１ペアのコンタクトの基板接続部及び前記第３ペアのコンタクトの基板接続部は、前記第１の方向において、２つの前記グランド用コンタクトの基板接続部よりも外側に位置しており、前記第２ペアのコンタクトの基板接続部は、前記第１の方向において、２つの前記グランド用コンタクトの基板接続部よりも内側に位置している、請求項２２に記載のコネクタ。